(57)【要約】【課題】ガゼット部および開閉手段を備えた物品収容袋において、当該袋内部への物品の充填に伴う不都合を解消する。【解決手段】フィルム部材によって形成され、互いに重ね合わされた状態で両側部どうしが連結された第１パネル１および第２パネル２と、第１パネル１および第２パネル２の上部に設けられ、当該上部を開状態と閉状態とに切換可能なファスナ４と、第１パネル１および第２パネル２の底部に設けられたガゼット部３と、を備えた物品収容袋Ａ１であって、ガゼット部３は、第３パネル３１および第４パネル３２を備え、第３パネル３１および第４パネル３２は、端部どうしが連結され、かつ当該連結部において折り返された状態で第１パネル１と第２パネル２との間に挟まれており、第２パネル２と第４パネル３２とが連結される一方、第１パネル１と第３パネル３１との間には、物品を挿入するための開口６が形成されている。【選択図】図２
2009018814.tif 000002
【特許請求の範囲】
【請求項１】
フィルム部材によって形成され、互いに重ね合わされた状態で両側部どうしが連結された第１パネルおよび第２パネルと、これら第１パネルおよび第２パネルの上部に設けられ、当該上部を開状態と閉状態とに切換可能な開閉手段と、上記第１パネルおよび第２パネルの底部に設けられたガゼット部と、を備えた物品収容袋であって、
上記ガゼット部は、第３パネルおよび第４パネルを備え、これら第３パネルおよび第４パネルは、端部どうしが連結され、かつ当該連結部において折り返された状態で上記第１パネルと上記第２パネルとの間に挟まれており、
上記第２パネルと上記第４パネルとが連結される一方、上記第１パネルと上記第３パネルとの間には、物品を挿入するための開口が形成されていることを特徴とする、物品収容袋。
【請求項２】
上記第３パネルおよび第４パネルの対向する表面部分は、それぞれ非熱溶着フィルムからなり、
上記第３パネルおよび第１パネルの対向する表面部分は、それぞれ熱溶着フィルムからなる、請求項１に記載の物品収容袋。
【請求項３】
上記ガゼット部は熱溶着フィルムと非熱溶着フィルムとが貼り合わされたラミネートフィルムからなり、上記非熱溶着フィルムが内側となるように折り返されることにより、上記第３パネルおよび上記第４パネルが形成されている、請求項２に記載の物品収容袋。
【請求項４】
上記第１パネルおよび上記第２パネルの上部は、上記開閉手段よりも上位において連結されている、請求項１ないし３のいずれかに記載の物品収容袋。
【発明の詳細な説明】
【技術分野】
【０００１】
本発明は、底部にガゼット部を有する物品収容袋に関する。
【背景技術】
【０００２】
物品を漏洩することなく比較的高い気密状態で保存可能な物品収容袋として、開口端にファスナなどの開状態と閉状態とに切換可能な開閉手段が設けられたものが、各種食品、医薬品等の幅広い分野で用いられている。物品収容袋は、一般に、互いに重ね合わされた第１パネルおよび第２パネルを備え、これら第１パネルおよび第２パネルの両側部どうしおよび底部どうしが連結されて袋体が構成される。また、この種の開閉手段を有する物品収容袋のうち、その底部において折り返し可能な底面部分（いわゆるガゼット部）が設けられたものも知られている。このガゼット部を有する物品収容袋は、当該袋内に物品が収容されると上記ガゼット部が拡がって袋内部の容積が大きくなるので、内容量を多く確保するのに適している。また、上記ガゼット部が拡がると自立可能な状態になるので、物品収容後の取り扱いが容易になるなどの利点がある。
【０００３】
従来、このようなガゼット部を有する物品収容袋の内部への物品の充填は、例えば、あらかじめガゼット部を含む底部を封止しておき、上記したファスナを開放した状態で当該ファスナの開口部を通じて行われていた。そして、物品を充填した後にファスナを閉じて、ファスナ近傍を密封シールするなどの手段により、物品充填済みの物品収容袋が完成される（例えば、特許文献１を参照）。
【０００４】
しかしながら、上記従来の物品充填方法では、物品充填後にファスナ（開閉手段）を閉じる作業において、袋体が膨らんでしまうことにより、ファスナの嵌合をスムーズに行うことができないという不都合が生じ得た。また、粉末状の物品を充填する場合には、ファスナの嵌合部に当該粉末が付着するとそのままファスナを閉じることができず、別途ファスナ嵌合部を清掃しなければならないといった不都合も生じ得た。
【０００５】
【特許文献１】特開平６−３０５０５７号公報
【発明の開示】
【発明が解決しようとする課題】
【０００６】
本発明は、このような事情のもとで考え出されたものであって、ガゼット部および開閉手段を備えた物品収容袋において、当該袋内部への物品の充填に伴う不都合を解消することを課題とする。
【課題を解決するための手段】
【０００７】
上記の課題を解決するため、本発明では、次の技術的手段を講じている。
【０００８】
本発明によって提供される物品収容袋は、フィルム部材によって形成され、互いに重ね合わされた状態で両側部どうしが連結された第１パネルおよび第２パネルと、これら第１パネルおよび第２パネルの上部に設けられ、当該上部を開状態と閉状態とに切換可能な開閉手段と、上記第１パネルおよび第２パネルの底部に設けられたガゼット部と、を備えた物品収容袋であって、上記ガゼット部は、第３パネルおよび第４パネルを備え、これら第３パネルおよび第４パネルは、端部どうしが連結され、かつ当該連結部において折り返された状態で上記第１パネルと上記第２パネルとの間に挟まれており、上記第２パネルと上記第４パネルとが連結される一方、上記第１パネルと上記第３パネルとの間には、物品を挿入するための開口が形成されていることを特徴としている。
【０００９】
このような構成の物品収容袋によれば、ガゼット部を有する場合においても、底部に形成された物品挿入用の開口を通じて物品を充填することが可能である。したがって、物品の充填に際し、ファスナなどの開閉手段を閉じたままにしておくことが可能となり、開閉手段を通じて物品の充填を行う場合に生じ得た不都合を解消することができる。
【００１０】
好ましい実施の形態においては、上記第３パネルおよび第４パネルの対向する表面部分は、それぞれ非熱溶着フィルムからなり、上記第３パネルおよび第１パネルの対向する表面部分は、それぞれ熱溶着フィルムからなる。
【００１１】
このような構成によれば、第１パネルおよび第２パネルの底部を挟んで加熱することにより、第１パネルと第３パネルとの間の開口に相当する部位が直接接触しつつ熱溶着して封鎖される。したがって、物品挿入用開口の封鎖は加熱のみによって行なうことができ、当該封鎖作業を簡素化することができる。また、第３パネルと第４パネルの接触部分は非熱溶着フィルムからなるので、ガゼット部を構成するこれらのパネルが不当に溶着することはない。
【００１２】
好ましい実施の形態においては、上記ガゼット部は熱溶着フィルムと非熱溶着フィルムとが貼り合わされたラミネートフィルムからなり、上記非熱溶着フィルムが内側となるように折り返されることにより、上記第３パネルおよび上記第４パネルが形成されている。
【００１３】
このような構成によれば、ガゼット部の構成を簡素化することができる。
【００１４】
好ましい実施の形態においては、上記第１パネルおよび上記第２パネルの上部は、上記開閉手段よりも上位において連結されている。
【００１５】
本発明のその他の特徴および利点は、添付図面を参照して以下に行う詳細な説明によって、より明らかとなろう。
【発明を実施するための最良の形態】
【００１６】
以下、本発明の好ましい実施の形態について、図面を参照して具体的に説明する。
【００１７】
本発明に係る物品収容袋の一例を図１〜図３に示す。図１は物品収容袋の正面図であり、図２は図１のII−II線に沿う断面図、図３は図１のIII−III線に沿う断面図である。図１および図２に示すように、この物品収容袋Ａ１は、第１パネル１と、第２パネル２と、ガゼット部３と、ファスナ４と、ノッチ５とを備えて構成されている。
【００１８】
第１パネル１および第２パネル２は、それぞれ矩形状のフィルム部材からなり、互いに重ね合わされている。第１パネル１は、例えばポリエチレンからなるＰＥフィルム層１Ａと、ポリプロピレンからなるＰＰフィルム層１Ｂとが貼り合わされたラミネートフィルムによって構成されている。第２パネル２も第１パネル１と同様にラミネートフィルムによって構成され、ＰＥフィルム層２ＡとＰＰフィルム層２Ｂとが貼り合わされたものである。
【００１９】
図３によく表れているように、第１パネル１および第２パネル２は、ＰＥフィルム層１Ａ，２Ａどうしが内面側となるように対向する姿勢とされ、第１パネル１の両方の側部１１と第２パネル２の両方の側部２１とは、それぞれ、熱溶着により連結されている。また、図２によく表れているように、第１パネル１の上端部１２と第２および第２パネル２の上端部２２とは、熱溶着により連結されている。
【００２０】
ガゼット部３は、物品収容袋Ａ１の底面部分を構成するものであり、第１パネル１および第２パネル２の底部（図１における下側）において、これら両パネル１，２の間に挟まれた状態で設けられている。より具体的には、ガゼット部３は、図２に表れているように、第３パネル３１および第４パネル３２を備える。これら第３および第４パネル３１，３２は、端部どうしが連結されるとともに当該連結部において折り返された状態とされている。第３および第４パネル３１，３２は、第１パネル１および第２パネル２の幅方向（図１における左右方向）の全体に亘って設けられている。
【００２１】
第３パネル３１は、ＰＥフィルム層３１ＡとＰＰフィルム層３１Ｂとが貼り合わされた構成とされている。これと同様に第４パネル３２もＰＥフィルム層３２ＡとＰＰフィルム層３２Ｂとが貼り合わされた構成である。第３パネル３１および第４パネル３２は、折り返された状態において、内側の対向する表面にＰＰフィルム層３１Ｂ，３２Ｂが位置し、外側の表面にＰＥフィルム層３１Ａ，３２Ａが位置する。本実施形態では、第３パネル３１および第４パネル３２は、一連のラミネートフィルムが連結部で折り返された構成とされている。
【００２２】
第４パネル３２は、第２パネル２に対向配置されており、第２パネル２のＰＥフィルム層２Ａと第４パネル３２のＰＥフィルム層３２Ａとは、熱溶着により連結されている。一方、第３パネル３１は、第１パネル１に対向配置されており、第１パネル１のＰＥフィルム層１Ａと第３パネル３１のＰＥフィルム層３１Ａとの間には、開口６が形成されている。この開口６は、物品を袋内部に挿入するためのものである。
【００２３】
上記のＰＥフィルム層１Ａ，２Ａ，３１Ａ，３２Ａは、本発明でいう熱溶着フィルムの一例であり、ＰＰフィルム層１Ｂ，２Ｂ，３１Ｂ，３２Ｂは、本発明でいう非熱溶着フィルムの一例である。ここで、熱溶着フィルムとは、相対的に軟化点の低い材料で形成されて所定温度で溶着するものをいい、非熱溶着フィルムとは、相対的に軟化点の高い材料で形成されて上記所定温度で溶着しないものをいう。
【００２４】
ファスナ４は、図２に示すように、第１パネル１および第２パネル２の上部に設けられ、互いに嵌合する雄ファスナ４Ａと雌ファスナ４Ｂとで構成されている。このファスナ４は、本発明でいう開閉手段の一例であり、開状態と閉状態とに切換可能で、かつ閉状態において適度な気密性を付与することができるものである。雄ファスナ４Ａは、第１パネル１のＰＥフィルム層１Ａ上に設けられ、上端部１２よりも下位（底部寄り）に位置する。一方、雌ファスナ４Ｂは、第２パネル２のＰＥフィルム層２Ａ上に設けられ、上端部２２よりも下位（底部寄り）に位置する。
【００２５】
ノッチ５は、図１に表れているように、ファスナ４と上端部１２，２２との間において、第１および第２パネル１，２の側部１１，２１に形成されている。このノッチ５によって上端部１２，２２を容易に切り離すことができ、ファスナ４を開閉操作可能な状態とすることができる。
【００２６】
このような構成の物品収容袋Ａ１は、物品を内部に収容する前の状態のものであり、第１および第２パネル１，２の両側部１１，２１どうしと上端部１２，２２どうしとが連結されて袋状とされる一方、底部の開口６から物品を挿入することが可能となっている。
【００２７】
次に、上記した物品収容袋Ａ１の製造方法の一例を図４〜図１０を参照して説明する。
【００２８】
物品収容袋Ａ１は、第１フィルム部材１０、第２フィルム部材２０、および第３フィルム部材３０を用いて製造される。図４において、第１フィルム部材１０、第２フィルム部材２０、および第３フィルム部材３０は、左右方向を幅方向とし、紙面垂直方向を長手方向とする帯状のフィルム部材である。第１フィルム部材１０は、第１パネル１の原形となるものであり、ＰＥフィルム層１０ＡとＰＰフィルム層１０Ｂとからなるラミネートフィルムである。第２フィルム部材２０は、第２パネル２の原形となるものであり、ＰＥフィルム層２０ＡとＰＰフィルム層２０Ｂとからなるラミネートフィルムである。第３フィルム部材３０は、ガゼット部３の原形となるものである。この第３フィルム３０は、ＰＥフィルム層３０ＡとＰＰフィルム層３０Ｂとからなるラミネートフィルムであり、ＰＰフィルム層３０Ｂが内側となるように中央で折り返されている。この折り返された第３フィルム３０には、図５に表れているように、長手方向に沿った一定間隔ごとに貫通孔３０ｃが形成されている。貫通孔３０ｃの意義については後述する。これら第１ないし第３フィルム部材１０，２０，３０は、長手方向に沿って所定の速度で移動させられており、以下の操作が加えられる。
【００２９】
まず、図６に示すように、第１フィルム部材１０のＰＥフィルム層１０Ａ上の所定部位に長手方向に沿って延びる雄ファスナ４０Ａを設け、第２フィルム部材２０のＰＥフィルム層２０Ａ上の所定部位に長手方向に沿って延びる雌ファスナ４０Ｂを設ける。これら雄および雌ファスナ４０Ａ，４０Ｂの取り付けは、例えば嵌合された状態のファスナ４０を第１および第２フィルム部材１０，２０間に配置し、熱溶着などの手段を用いて行う。
【００３０】
次に、図７に示すように、第１フィルム部材１０の左端部と第２フィルム部材２０の左端部とを所定の範囲において連結する。この連結作業は、例えば一対のヒータ７１によって第１フィルム部材１０と第２フィルム部材２０とを挟みながら加熱し、ＰＥフィルム層１０Ａ，２０Ａを熱溶着させることによって行う。ここで連結される部分は、物品収容袋Ａ１の上端部１２，２２となるべき部分である。
【００３１】
次に、図８に示すように、第２フィルム部材２０の右端部と第３フィルム３０の右端部とを所定の範囲において連結する。この連結作業は、例えば一対のヒータ７２によって第１フィルム部材１０と第２フィルム部材２０とを挟みながら加熱することにより行う。ここで、ヒータ７２による加熱温度は、ＰＥフィルム層１０Ａ，２０Ａ，３０Ａが溶着可能であるとともに、ＰＰフィルム層１０Ｂ，２０Ｂ，３０Ｂの軟化点よりも低くなるように設定される。この連結作業時には、第１フィルム部材１０と第３フィルム部材３０の間に、例えばフッ素樹脂コーティングされた仕切板７３が挿入されている。これにより、第１フィルム部材１０と第３フィルム部材３０とは直接接することはなく、溶着することはない。したがって、この第１フィルム部材１０と第３フィルム３０との間には隙間が残る。一方、第２フィルム部材２０のＰＥフィルム層２０Ａと第３フィルム部材３０のＰＥフィルム層３０Ａとは、接触しており、互いに熱溶着される。第３フィルム部材３０の内側どうしで対向接触する表面部分のＰＰフィルム層３０Ｂについては、ヒータ７２による加熱温度が軟化点よりも低いため、溶着することはない。
【００３２】
次に、図９に示すように、第１フィルム部材１０および第２フィルム部材２０の長手方向に沿って所定の間隔ごとに、第１フィルム部材１０および第２フィルム部材２０の幅方向に延びるシール部８０を形成する。このシール部８０の形成は、例えば、第１および第２フィルム部材１０，２０の幅方向に延びて向かい合う一対のヒータ（図示せず）によって第１フィルム部材１０と第２フィルム部材２０の両側から加熱し、両者を熱溶着させることによって行う。ここで、シール部材８０の配列ピッチは、上記した貫通孔３０ｃの配列ピッチと同一にされる。また、シール部８０は、貫通孔３０ｃと重なる位置に形成される。このとき、図１０に表れているように、シール部８０が形成される領域の第１および第２フィルム部材１０，２０の右端部において、第３フィルム部材３０が介在する箇所では、第１および第２フィルム部材１０，２０とは直接接することがなく、溶着しない。一方、第３フィルム３０が介在しない貫通孔３０ｃ形成箇所では、第１フィルム部材１０と第２フィルム部材２０とが接触して溶着している。かかる構造のシール部８０は、物品収容袋Ａ１の側部１１，２１となるべき部分である。そして、シール部８０が形成されていない領域では、図８を参照して上述したように、第１フィルム部材１０と第３フィルム部材３０との間には隙間が存在しており、この隙間が開口６となる部分である。
【００３３】
次に、複数形成されたシール部８０の各々において、第１ないし第３フィルム部材１０，２０，３０をその幅方向に沿って裁断する。この裁断作業により、第１フィルム部材１０から第１パネル１が切り出され、第２フィルム部材２０から第２パネル２が切り出され、第３フィルム３０からガゼット部３（第３パネル３１および第４パネル３２）が切り出され、各貫通孔３０ｃは２分割される。また、裁断作業と同時に、シール部８０の所定位置に切り込みを入れることにより、ノッチ５を形成する。このようにして、物品収容袋Ａ１を連続的に複数製造することができる。
【００３４】
本実施形態の物品収容袋Ａ１においては、底部に開口６が形成されているので、袋内部への物品の充填は、ファスナ４を閉じたまま底部の開口６を通じて行うことができる。このため、ファスナ等を通じて物品を充填する場合に生じ得た不都合を解消することができる。
【００３５】
物品収容袋Ａ１内部へ物品を収容した後に底部の開口６を封鎖すれば、当該物品収容袋Ａ１は、密封された状態となり、商品として流通させることができる。開口６の封鎖は、例えば第１パネル１０と第２パネル２０の底部を一対のヒータで挟んで加熱することにより行う。ここで、上記ヒータによる加熱温度は、ＰＥフィルム層１Ａ，３１Ａが溶着可能であるとともに、ＰＰフィルム層３１Ｂ，３２Ｂの軟化点よりも低くなるように設定される。このとき、図２から理解できるように、第１パネル１および第３パネル３の対向する表面部分にはＰＥフィルム層１Ａ，３１Ａが位置するので、当該ＰＥフィルム層１Ａ，３１Ａどうしが熱溶着することにより、開口６に相当する部位が封鎖されることになる。一方、第３パネル３１および第４パネル３２の対向する表面部分にはＰＰフィルム層３１Ｂ，３２Ｂが位置するので、これらＰＰフィルム層３１Ｂ，３２Ｂが溶着することはない。このように、本実施形態の物品収容袋Ａ１によれば、開口６の封鎖は加熱のみによって行うことができ、当該封鎖作業が簡素化される。
【００３６】
なお、物品収容袋Ａ１においては、ファスナ４よりも上位の上端部１２，２２が連結されているので、物品収容後の搬送時等においてファスナ４が開いても、袋内部の物品が漏洩することはない。
【００３７】
以上、本発明の実施形態を説明したが、本発明の技術的範囲は上記した実施形態に限定されるものではない。本発明に係る物品収容袋の各部の具体的な構成は、発明の思想から逸脱しない範囲内で種々な変更が可能である。
【００３８】
例えば、第１パネル、第２パネル、およびガゼット部（第３パネルおよび第４パネル）の相互間を連結させる手法としては、上記実施形態に挙げた熱溶着に限定されるものでなく、接着や超音波シールなど他の手法を用いてもよい。要するに、連結されるべき部分が封鎖されていればよい。例えば、第３パネルと第４パネルとを別体から構成し、熱溶着などの適宜手段により事後的に連結してもよい。また、第１パネルおよび第２パネルについては、一連のフィルム部材を上端部において折り返した構成とすることもできる。
【図面の簡単な説明】
【００３９】
【図１】本発明に係る物品収容袋の一例を示す平面図である。
【図２】図１のII−II線に沿う断面図である。
【図３】図１のIII−III線に沿う断面図である。
【図４】図１の物品収容袋を製造する方法における一部の工程を示す断面図である。
【図５】図４と同様の工程を示す平面図である。
【図６】図４の後に続く工程を示す断面図である。
【図７】図６の後に続く工程を示す断面図である。
【図８】図７の後に続く工程を示す断面図である。
【図９】図８の後に続く工程を示す平面図である。
【図１０】図９のＸ−Ｘ線に沿う断面図である。
【符号の説明】
【００４０】
Ａ１    物品収容袋
１      第１パネル
１Ａ    ＰＥフィルム層
１Ｂ    ＰＰフィルム層
２      第２パネル
２Ａ    ＰＥフィルム層
２Ｂ    ＰＰフィルム層
３      ガゼット部
１１    側部（第１パネルの）
１２    上端部（第１パネルの）
２１    側部（第２パネルの）
２２    上端部（第２パネルの）
３１    第３パネル
３１Ａ    ＰＥフィルム層
３１Ｂ    ＰＰフィルム層
３２    第４パネル
３２Ａ    ＰＥフィルム層
３２Ｂ    ＰＰフィルム層
４      ファスナ（開閉手段）
４１    雄ファスナ
４２    雌ファスナ
５      ノッチ
６      開口
【図１】
2009018814.tif 000003
【図２】
2009018814.tif 000004
【図３】
2009018814.tif 000005
【図４】
2009018814.tif 000006
【図５】
2009018814.tif 000007
【図６】
2009018814.tif 000008
【図７】
2009018814.tif 000009
【図８】
2009018814.tif 000010
【図９】
2009018814.tif 000011
【図１０】
2009018814.tif 000012